(57)【特許請求の範囲】
【請求項１】
枠体内から引出され、且つ前記枠体に引き込まれる抽斗等の被取付体に取付けてその移動を補助するための飛び出し装置であって、
前記被取付体の外方面に取付けられた前方ローラーと、
前記枠体に取付けられ、前記前方ローラーに係合する回動自在なアーム体と、
前記アーム体を、前記前方ローラーを介して前記被取付体を前記枠体から引き出す第１方向に常に付勢する付勢手段と、
前記アーム体に係合して、その回転を阻止する回転阻止手段と、
前記回転阻止手段の前記アーム体との係合を解除する係合解除手段とを備えた、飛び出し装置。
【請求項２】
前記回転阻止手段は、前記アーム体の前記第１方向とは反対方向への回転が所定以上進行した時、前記アーム体に係合するように付勢されたロック爪を有する、請求項１記載の飛び出し装置。
【請求項３】
前記係合解除手段は、前記ロック爪を押圧し得る突出棒を含む、請求項２記載の飛び出し装置。
【請求項４】
前記突出棒は前記被取付体の一部に固定され、前記被取付体を前記枠体に対して押し込むことによって、前記突出棒は前記ロック爪を押圧するように移動する、請求項３記載の飛び出し装置。
【請求項５】
前記被取付体の前面扉の一部に取付けられ、押込み自在で且つ押し込む前の状態に復帰するように付勢されているボタン本体の裏面に前記突出棒は固定され、前記ボタン本体を押し込むことによって、前記突出棒は前記ロック爪を押圧するように移動する、請求項３記載の飛び出し装置。
【請求項６】
前記被取付体の前面扉の上端に取付けられ、揺動自在で且つ揺動前の状態に復帰するように付勢されている取手の一部に前記突出棒は取付けられ、前記取手を揺動させることによって、前記突出棒は前記ロック爪を押圧するように移動する、請求項３記載の飛び出し装置。
【請求項７】
前記被取付体の前記外方面であって、前記前方ローラーに対して前記被取付体の引き込み方向側に取付けられた後方ローラーを更に備え、
前記被取付体を前記枠体の外から前記枠体に引き込むように移動させた時、前記後方ローラーは前記アーム体と係合して、前記アーム体を前記第１方向とは反対方向へ回転させ、前記回転阻止手段に係合させる、請求項１から請求項６のいずれかに記載の飛び出し装置。
【請求項８】
前記付勢手段による前記アーム体の回転を所定位置で停止させるストッパーを更に備え、
前記アーム体はその回転中心に対して外方側に位置する前アームと、内方側に位置する後アームとからなり、前記前アームは前記後アームに対して前記第１方向に回転自在となるように接続され、前記ストッパーは前記後アームに係合する、請求項７記載の飛び出し装置。
【請求項９】
前記付勢手段による前記アーム体の回転を所定位置で停止させるストッパーを更に備え、
前記アーム体は、
回転軸に固定され、前記回転軸から一方方向に伸びるとともに、前記回転阻止手段に係合する第１アームと前記回転軸から他方方向に伸びる第２アームとからなり、前記回転軸を介して前記付勢手段によって第１回転方向に回転するように付勢される支持アームと、
前記回転軸に回動自在に取付けられ、その一部が前記第２アームにほぼ重なるように配置されて前記前方ローラー及び前記後方ローラーに係合する駆動アームと、
前記第２アームと前記駆動アームとの間に取付けられ、前記第１回転方向に対する前記駆動アームの前記第２アームに対する相対回転運動は許容するが、元の重なり状態となるように常に付勢する第２付勢手段と、
前記駆動アームの前記第１回転方向とは反対方向の第２回転方向への回転に伴って、前記第２アームを前記駆動アームと一体的に前記第２回転方向へ回転させるように前記駆動アームと前記第２アームとを係合させる係合手段とを備えた、請求項７記載の飛び出し装置。
【請求項１０】
請求項２記載の飛び出し装置を備えた抽斗キャビネットであって、
前記被取付体となる抽斗本体を構成する前面板と、
前記前面板と前記前面板を設置すべき床との間に取付けられ、前記抽斗本体を構成する蹴込板とを備え、
前記前面板と前記蹴込板との間のスペースに前記係合解除手段の少なくとも一部が設けられた、抽斗キャビネット。
【請求項１１】
前記係合解除手段は、
前記前面板と前記蹴込板との間のスペースに垂直方向に取付けられ、水平方向に移動自在のパネルと、
前記パネルに接続され、前記パネルの移動に伴って前記ロック爪を押圧し得る突出棒とを含む、請求項１０記載の抽斗キャビネット。
【請求項１２】
前記パネルはその上方端部を軸中心として揺動自在に構成され、
前記係合解除手段は、前記パネルと前記蹴込板との間に取付けられ、前記パネルを垂直方向に保持するように付勢する弾性体と、前記パネルと前記突出棒とを接続するために、これらに固定された連結板とを更に備えた、請求項１１記載の抽斗キャビネット。
【請求項１３】
前記係合解除手段は、前記前面板と前記蹴込板との間のスペースに垂直方向に取付けられ、水平方向に移動自在のパネルと、
前記パネルの下方部と前記ロック爪との間に移動自在に設けられ、前記パネルの移動に伴って前記ロック爪を押圧し得る作動棒とを含む、請求項１０記載の抽斗キャビネット。
【請求項１４】
前記パネルはその上方端部を軸中心として揺動自在に構成され、
前記係合解除手段は、前記パネルと前記蹴込板との間に取付けられ、前記パネルを垂直方向に保持するように付勢する弾性体と、前記パネルの下端に接続された接続板と、前記作動棒を前記接続板と前記ロック爪との間で前記ロック爪に向かって水平方向に移動自在に保持し、且つ前記作動棒を移動前の位置に復帰するように付勢する支持板とを更に備えた、請求項１３記載の抽斗キャビネット。
【請求項１５】
前記パネルは、前記蹴込板の水平方向の幅と同等の幅方向の長さを有する、請求項１２又は請求項１４記載の抽斗キャビネット。
【請求項１６】
前記ローラーは、前記抽斗本体を構成する底板の下面に設けられ、
前記アーム体、前記付勢手段及び前記回転阻止手段は、前記枠体の一部となる、前記底板と前記床との間に配置された支持板に設けられる、請求項１０から請求項１５のいずれかに記載の抽斗キャビネット。
【請求項１７】
前記底板の奥側下面には、前記抽斗本体を前記枠体から引出した時、前記回転阻止手段の前記アーム体との係合を解除する第２係合解除手段が設けられる、請求項１６記載の抽斗キャビネット。
【請求項１８】
前記第２係合解除手段は、前記底板の下面から下方に突出した形状を有する突出体を含み、
前記抽斗本体が引出された際に、前記突出体は、前記回転阻止手段の上方を通過するとともにこれを押圧して、前記回転阻止手段を移動させる、請求項１７記載の抽斗キャビネット。
【請求項１９】
床面側に設けられた引出し自在の抽斗本体とこれを保持する枠体とを有する抽斗キャビネットであって、
前記抽斗本体の一部を構成する前面板と床面との間に取付けられ、前記抽斗本体の他の一部を構成する蹴込自在の蹴込手段と、
前記枠体に取付けられ、前記抽斗本体を前記枠体から引出す方向に常に付勢する付勢手段と、
前記付勢手段に係合して、その付勢を阻止する付勢阻止手段と、
前記蹴込手段を蹴り込むことによって、前記付勢阻止手段の前記付勢手段との係合を解除する係合解除手段とを備えた、抽斗キャビネット。
【発明の詳細な説明】
【０００１】
【発明の属する技術分野】
この発明は飛び出し装置及び抽斗キャビネットに関し、特に調理台の抽斗等に取付けられて用いられる飛び出し装置及び台所に用いられる抽斗キャビネットに関するものである。
【０００２】
【従来の技術】
従来、調理台等に組み込まれた抽斗や抽斗キャビネット等には使い勝手を向上させるためにいわゆる飛び出し装置が取付けられているものが多い。
【０００３】
すなわち、この飛び出し装置は、抽斗が「閉」状態にある時に、一旦抽斗を押し込むように力を加えると、これをトリガーとして抽斗を押し出す力が働くように構成したものである。これによって、このような装置が取付けられていないものに比べて、引き出しに要する力が低減されて抽斗がスムーズに引出せるため使い勝手が良い。
【０００４】
【発明が解決しようとする課題】
上記のような従来の抽斗装置は、その内部構造が複雑なものが多く、コスト的に不利であり、又それだけ故障等が生じ易い。
【０００５】
この発明は上記のような課題を解決するためになされたもので、構造が単純で且つ動作の信頼性が高い飛び出し装置及び抽斗キャビネットを提供することを目的とする。
【０００６】
【課題を解決するための手段】
上記の目的を達成するために、請求項１記載の発明は、枠体内から引出され、且つ枠体内に引き込まれる抽斗等の被取付体に取付けてその移動を補助するための飛び出し装置であって、被取付体の外方面に取付けられた前方ローラーと、枠体に取付けられ、前方ローラーに係合する回動自在なアーム体と、アーム体を前方ローラーを介して被取付体を枠体から引き出す第１方向に常に付勢する付勢手段と、アーム体に係合して、その回転を阻止する回転阻止手段と、回転阻止手段のアーム体との係合を解除する係合解除手段とを備えたものである。
【０００７】
このように構成すると、係合解除手段を能動化させると、アーム体が付勢されてローラーに被取付体を引き出す方向の力を伝達する。
【０００８】
請求項２記載の発明は、請求項１記載の発明の構成において、回転阻止手段は、アーム体の第１方向とは反対方向への回転が所定以上進行した時、アーム体に係合するように付勢されたロック爪を有するものである。
【０００９】
このように構成すると、アーム体を第１方向とは反対方向に回転させると回転阻止手段が能動化する。
【００１０】
請求項３記載の発明は、請求項２記載の発明の構成において、係合解除手段は、ロック爪を押圧し得る突出棒を含むものである。
【００１１】
このように構成すると、突出部を移動させると、係合解除手段が能動化する。
【００１２】
請求項４記載の発明は、請求項３記載の発明の構成において、突出棒は被取付体の一部に固定され、被取付体を枠体に対して押し込むことによって、突出棒はロック爪を押圧するように移動する。
【００１３】
このように構成すると、被取付体を押し込むことによって、係合解除手段が能動化する。
【００１４】
請求項５記載の発明は、請求項３記載の発明の構成において、被取付体の前面扉の一部に取付けられ、押込み自在で且つ押し込む前の状態に復帰するように付勢されているボタン本体の裏面に突出棒は固定され、ボタン本体を押し込むことによって、突出棒はロック爪を押圧するように移動する。
【００１５】
このように構成すると、ボタン本体を押し込むことによって、係合解除手段が能動化する。
【００１６】
請求項６記載の発明は、請求項３記載の発明の構成において、被取付体の前面扉の上端に取付けられ、揺動自在で且つ揺動前の状態に復帰するように付勢されている取手の一部に突出棒は取付けられ、取手を揺動させることによって、突出棒はロック爪を押圧するように移動するものである。
【００１７】
このように構成すると、取手を揺動させることによって係合解除手段が能動化する。
【００１８】
請求項７記載の発明は、請求項１から請求項６のいずれかに記載の発明の構成において、被取付体の外方面であって、前方ローラーに対して被取付体の引き込み方向側に取付けられた後方ローラーを更に備え、被取付体を枠体の外から枠体に引き込むように移動させた時、後方ローラーはアーム体と係合してアーム体を第１方向とは反対方向の第２方向へ回転させ、回転阻止手段に係合させるものである。
【００１９】
このように構成すると、被取付体を初期取付時に枠体に対して移動させると、回転阻止手段が能動化する。
【００２０】
請求項８記載の発明は、請求項７記載の発明の構成において、付勢手段によるアーム体の回転を所定位置で停止させるストッパーを更に備え、アーム体は、その回転中心に対して外方側に位置する前アームと、内方側に位置する後アームとからなり、前アームは後アームに対して第１方向に回転自在となるように接続され、ストッパーは後アームに係合するものである。
【００２１】
このように構成すると、被取付体を枠体から引出して後方ローラーがアーム体に接触した際、アーム体の前アームが後アームに対して回転する。
【００２２】
請求項９記載の発明は、請求項７記載の発明の構成において、付勢手段によるアーム体の回転を所定位置で停止させるストッパーを更に備え、アーム体は、回転軸に固定され、回転軸から一方方向に伸びるとともに回転阻止手段に係合する第１アームと回転軸から他方方向に伸びる第２アームとからなり、回転軸を介して付勢手段によって第１回転方向に回転するように付勢される支持アームと、回転軸に回動自在に取付けられ、その一部が第２アームにほぼ重なるように配置されて前方ローラー及び後方ローラーに係合する駆動アームと、第２アームと駆動アームとの間に取付けられ、第１回転方向に対する駆動アームの第２アームに対する相対回転運動は許容するが、元の重なり状態となるように常に付勢する第２付勢手段と、駆動アームの第１回転方向とは反対方向の第２回転方向への回転に伴って、第２アームを駆動アームと一体的に第２回転方向へ回転するように駆動アームと第２アームとを係合する係合手段とを備えたものである。
【００２３】
このように構成すると、支持アームの第１アームが回転阻止手段に係合し、駆動アームが前方ローラー及び後方ローラーに係合する。
【００２４】
請求項１０記載の発明は、請求項２記載の飛び出し装置を備えた抽斗キャビネットであって、被取付体となる抽斗本体を構成する前面板と、前面板と前面板を設置すべき床との間に取付けられ、抽斗本体を構成する蹴込板とを備え、前面板と蹴込板との間のスペースに係合解除手段の少なくとも一部が設けられたものである。
【００２５】
このように構成すると、前面板と蹴込板との間に設けられた係合解除手段を駆動すると回転阻止手段のアーム体との係合が解除される。
【００２６】
請求項１１記載の発明は、請求項１０記載の発明の構成において、係合解除手段は、前面板と蹴込板との間のスペースに垂直方向に取付けられ、水平方向に移動自在のパネルと、パネルに接続され、パネルの移動に伴ってロック爪を押圧し得る突出棒とを含むものである。
【００２７】
このように構成すると、下方に設置されたパネルを移動させると、係合解除手段が能動化する。
【００２８】
請求項１２記載の発明は、請求項１１記載の発明の構成において、パネルはその上方端部を軸中心として揺動自在に構成され、係合解除手段は、パネルと蹴込板との間に取付けられ、パネルを垂直方向に保持するように付勢する弾性体と、パネルと突出棒とを接続するために、これらに固定された連結板とを更に備えたものである。
【００２９】
このように構成すると、パネルに加えた力を取除くと、パネルは連結板とともに元の垂直方向の位置に復帰する。
【００３０】
請求項１３記載の発明は、請求項１０記載の発明の構成において、係合解除手段は、前面板と蹴込板との間のスペースに垂直方向に取付けられ、水平方向に移動自在のパネルと、パネルの下方部とロック爪との間に移動自在に設けられ、パネルの移動に伴ってロック爪を押圧し得る作動棒とを含むものである。
【００３１】
このように構成すると、下方に設置されたパネルを移動させると、係合解除手段が能動化する。
【００３２】
請求項１４記載の発明は、請求項１３記載の発明の構成において、パネルはその上方端部を軸中心として揺動自在に構成され、係合解除手段は、パネルと蹴込板との間に取付けられ、パネルを垂直方向に保持するように付勢する弾性体と、パネルの下端に接続された接続板と、作動棒を接続板とロック爪との間でロック爪に向かって水平方向に移動自在に保持し、且つ作動棒を移動前の位置に復帰するように付勢する支持板とを更に備えたものである。
【００３３】
このように構成すると、パネルの移動に伴って接続板は作動棒を移動させ、ロック爪を押圧させる。
【００３４】
請求項１５記載の発明は、請求項１２又は請求項１４記載の発明の構成において、パネルは、蹴込板の水平方向の幅と同等の幅方向の長さを有するものである。
【００３５】
このように構成すると、幅方向のどの位置においてもパネルに力を加えることが可能となる。
【００３６】
請求項１６記載の発明は、請求項１０から請求項１５のいずれかに記載の発明の構成において、前方ローラーは、抽斗本体を構成する底板の下面に設けられ、アーム体、付勢手段及び回転阻止手段は、枠体の一部となる、底板と底との間に配置された支持板に設けられるものである。
【００３７】
このように構成すると、前方ローラー、アーム体、付勢手段及び回転阻止手段は抽斗本体の底面の下方に設けられる。
【００３８】
請求項１７記載の発明は、請求項１６記載の発明の構成において、底板の奥側下面には、抽斗本体を枠体から引出した時、回転阻止手段のアーム体との係合を解除する第２係合解除手段が設けられるものである。
【００３９】
このように構成すると、抽斗本体を引出すと、回転阻止手段のアーム体との係合が常に解除される。
【００４０】
請求項１８記載の発明は、請求項１７記載の発明の構成において、第２係合解除手段は、底板の下面から下方に突出した形状を有する突出体を含み、抽斗本体が引出された際に、突出体は、回転阻止手段の上方を通過するとともにこれを押圧して、回転阻止手段を移動させるものである。
【００４１】
このように構成すると、抽斗本体を引出すと抽斗本体に取付けられた突出体が回転阻止手段を押圧して移動させる。
【００４２】
請求項１９記載の発明は、床面側に設けられた引出し自在の抽斗本体とこれを保持する枠体とを有する抽斗キャビネットであって、抽斗本体の一部を構成する前面板と床面との間に取付けられ、抽斗本体の他の一部を構成する蹴込自在の蹴込手段と、枠体に取付けられ、抽斗本体を枠体から引出す方向に常に付勢する付勢手段と、付勢手段に係合して、その付勢を阻止する付勢阻止手段と、蹴込手段を蹴込むことによって付勢阻止手段の付勢手段との係合を解除する係合解除手段とを備えたものである。
【００４３】
このように構成すると、蹴込手段を蹴込むと、抽斗本体は枠体から外方に引出される。
【００４４】
【発明の効果】
以上説明したように、請求項１記載の発明は、係合解除手段を能動化すると、被取付体を引き出す方向に力が伝達されるため、簡易な構造で被取付体が枠体から安定して引出される。
【００４５】
請求項２記載の発明は、請求項１記載の発明の効果に加えて、アーム体を第１方向とは反対方向に回転させると回転阻止手段が能動化するため、被取付体の構造に合わせてアーム体の回転を容易に阻止して固定状態とすることができる。
【００４６】
請求項３記載の発明は、請求項２記載の発明の効果に加えて、突出棒を移動させると係合解除手段が能動化するため、被取付体の構造に合わせて突出棒を移動させるようにすれば良いため使い勝手が向上する。
【００４７】
請求項４記載の発明は、請求項３記載の発明の効果に加えて、被取付体を押し込むことによって被取付体にこれを引出そうとする力が加わるため引出しが容易となる。
【００４８】
請求項５記載の発明は、請求項３記載の発明の効果に加えて、ボタン本体を押し込むことによって被取付体にこれを引出そうとする力が加わるため引出しが容易となる。
【００４９】
請求項６記載の発明は、請求項３記載の発明の効果に加えて、取手を揺動させることによって被取付体にこれを引出そうとする力が加わるため、引出しが容易となる。
【００５０】
請求項７記載の発明は、請求項１から請求項６のいずれかに記載の発明の効果に加えて、被取付体を枠体に対して押し込むように移動させると、被取付体は枠体から押し戻されることなく枠体に取付けることができる。
【００５１】
請求項８記載の発明は、請求項７記載の発明の効果に加えて、引出し時に後方ローラーがアーム体に接触した時にはアーム体の前アームが後アームに対して回転するため、被取付体の引出しをスムーズに行うことができる。
【００５２】
請求項９記載の発明は、請求項７記載の発明の効果に加えて、支持アームの第１アームが回転阻止手段に係合し、駆動アームが前方ローラー及び後方ローラーに係合するため、被取付体の幅が小さい時に、駆動アームの長さを後方ローラーとアーム体の回転軸との距離に応じて短く設定することができる。したがって、幅の小さな被取付体に対しても容易に飛び出し装置を取付けることが可能となる。
【００５３】
請求項１０記載の発明は、請求項２記載の発明の効果に加えて、係合解除手段が前面板と蹴込板との間に設けられているため、不用意に係合解除手段が駆動されることはなく、必要時のみ駆動されるため使い勝手が良い。
【００５４】
請求項１１記載の発明は、請求項１０記載の発明の効果に加えて、係合解除手段を能動化するのに脚でパネルを操作することができるため、より使い勝手が向上する。
【００５５】
請求項１２記載の発明は、請求項１１記載の発明の効果に加えて、パネルに加えた力を取り除くとパネルは元の位置に復帰するため、係合解除手段は非能動化する。そのためこの状態で回転阻止手段を再度有効化することが可能となる。
【００５６】
請求項１３記載の発明は、請求項１０記載の発明の効果に加えて、係合解除手段が前面板と蹴込板との間に設けられているため、不用意に係合解除手段が駆動されることはなく、必要時のみ駆動されるため使い勝手が良い。
【００５７】
請求項１４記載の発明は、請求項１３記載の発明の効果に加えて、パネルに加えた力を取り除くとパネルが元の位置に復帰するため、係合解除手段は非能動化する。そのためこの状態で回転阻止手段を再度有効化することが可能となる。またパネルの移動は接続板を介して作動棒を水平方向に移動させるため、ロック爪の押圧の信頼性が向上する。
【００５８】
請求項１５記載の発明は、請求項１２又は請求項１４記載の発明の効果に加えて、キャビネットの幅方向のどの位置においてもパネルに力を加えることができるため、係合解除手段を能動化させることが容易となり、使い勝手が良い。
【００５９】
請求項１６記載の発明は、請求項１０から請求項１５のいずれかに記載の発明の効果に加えて、アーム体、付勢手段及び回転阻止手段は抽斗本体の底面の下方に設けられるため、係合解除手段との位置関係が近くなり、飛び出し装置の動作の信頼性が向上する。
【００６０】
請求項１７記載の発明は、請求項１６記載の発明の効果に加えて、抽斗本体を引出すと、回転阻止手段のアーム体との係合が解除されるため、不用意にアーム体が作動する虞がなく、安全性が向上する。
【００６１】
請求項１８記載の発明は、請求項１７記載の発明の効果に加えて、抽斗本体を引出すと、抽斗本体に取付けられた突出体が回転阻止手段を移動させるため、回転阻止手段とアーム体との係合が確実に解除される。
【００６２】
請求項１９記載の発明は、蹴込手段を蹴込むと抽斗本体が外方に引出されるため、脚で蹴込手段を操作することも可能となり、使い勝手が良い。
【００６３】
【発明の実施の形態】
図１はこの発明の第１の実施の形態による飛び出し装置が組み込まれた調理台の外観正面図であり、図２は図１で示したＩＩ−ＩＩラインの断面図であり、図３は図２で示したＩＩＩ−ＩＩＩラインの拡大断面図であり、図４は図３で示したＩＶ−ＩＶラインから見た図であり、図５は図４で示したＶ−Ｖラインの拡大断面図である。
【００６４】
これらの図を参照して、シンク１４が取付けられている調理台１３の前面板１５に抽斗１６及び開閉扉１９が取付けられている。抽斗１６はその中央に取手１７が設けられており、調理台１３内に取付けられた枠体２６内に収納されている。
【００６５】
抽斗１６は具体的には上方が開放の箱型形状を有している。すなわち、抽斗１６は矩形形状の底板２４と、底板２４の一辺から立ち上がり、調理台１３の前面板１５の外方に面する前面扉２１と、前面扉２１が接する底板２４の辺の隣接の２辺から立ち上がる一対の側板２２ａ，側板２２ｂと、底板２４の残りの一辺から立ち上がる後方板２３とから構成されている。
【００６６】
抽斗１６の底板２４の下面には回動自在な前方ローラー３０及び後方ローラー３１が取付けられている。又、底板２４の下方であって枠体２６に架け渡された支持板３３の上に飛び出し装置２９が取付けられている。
【００６７】
飛び出し装置２９はバネケース４２に収納された渦巻きバネ３５を中心として構成され、この渦巻きバネ３５の内方端が固定された軸４３にアーム体３４が固定され、軸４３とともに回動自在に構成されている。アーム体３４は軸４３に固定された矩形板形状の支持アーム４１と、支持アーム４１の一方面側に取付けられた前アーム３６及び後アーム３７とから構成されている。
【００６８】
後アーム３７は支持アーム４１に対して固定されている。前アーム３６は支持アーム４１の一方側の先端に取付けられたピン３８に対して図４においては破線で示した位置のように反時計方向周りには回転できるが、時計方向周りには実線で示したように後アーム３７と整列した位置以上には回転できないように構成されている。又、ピン３８にはスプリング３９が組み込まれ、前アーム３６を常時実線の位置となるように付勢している。
【００６９】
一方、アーム体３４を構成する支持アーム４１の他方側はロック機構４５と係合するように構成されている。ロック機構４５は図５に示されているように支持板３３の底板２４側の面に取付けられている。具体的には、ロック機構４５は軸４６の周りに回動自在で且つ図５においては反時計方向回りに付勢されているロック爪４７と、ロック爪４７に固定され底板２４側に突き出る突出片４８とから構成されている。
【００７０】
尚、ロック爪４７の図５における上方側端部は底板２４側に折曲げられている。又、突出片４８に対抗する位置であって抽斗１６の前面扉２１の裏面には、突出棒５０が取り付けられている。ここで図５の（１）は図４においてアーム体３４が二点鎖線の位置にある状態に対応しており、図５の（２）は図４においてアーム体３４が実線で示されている位置に対応したものである。
【００７１】
図４に戻って、支持板３３には、アーム体３４が二点鎖線で示した位置以上に反時計方向周りに回転することを阻止するストッパー４０が取付けられている。尚、このストッパー４０はアーム体３４の支持アーム４１及び後アーム３７に当接するように配置されている。
【００７２】
図６は図１及び図２で示した抽斗を調理台１３内部に取付けられた枠体２６に対して最初に収納する場合の状態変化を示した図である。
【００７３】
図を参照して、図６の（１）は抽斗１６を枠体２６に押し込む前の状態を示している。尚、図においては飛び出し装置の動作を明確に説明するために、抽斗１６の底板２４が透明体であるものとして図示しこれを説明する。
【００７４】
図６の（１）の状態においては、飛び出し装置２９は図４において二点鎖線で示した位置に対応したものとなっている。すなわち飛び出し装置２９の前アーム３６及び後アーム３７は、反時計方向周りへの移動範囲の最先端に位置していることになる。この状態では図５の（１）に示されているようにロック機構４５のロック爪４７の先端は支持アーム４１の下面に当接した状態となっているため、ロック爪４７はそれ以上反時計方向周りには移動できないことになる。
【００７５】
次に、図６の（２）に示されているように抽斗１６を抽斗１６内部に一部収納する。この状態にあっては抽斗１６の底板２４の下面に取付けられた後方ローラー３１が飛び出し装置２９の前アーム３６に当接することになる。そして後方ローラー３１は、前アーム３６を渦巻きバネ３５の付勢力に抗して反時計方向周りに移動させることになる。この時図５の（１）に示されているように、支持アーム４１はロック機構４５のロック爪４７の先端の上方に位置しているため、ロック爪４７によって支持アーム４１の反時計方向周りの移動を阻害される虞はない。
【００７６】
更にこの状態から抽斗１６を枠体２６内に進行させると、前アーム３６は更に時計方向周りに回転し図５の（２）の状態に変化する。すなわち、支持アーム４１が図５の（１）の状態から更に下方向に移動すると、ロック機構４５のロック爪４７の先端との当接状態が解除されて、ロック爪４７は軸４６に組み込まれた反時計方向周りの付勢力によって反時計方向周りに移動する。これによって支持アーム４１の上方端部とロック爪４７の先端部とが係合する。
【００７７】
このロック爪４７との係合によって、後方ローラー３１による前アーム３６に対する反時計方向周りの回転力の付与が消滅しても、支持アーム４１は渦巻きバネ３５の付勢力に抗して反時計方向周りには移動しない状態に保持されることになる。
【００７８】
この状態を示したのが図６の（３）である。この状態にあっては抽斗１６は、枠体２６に対して緩衝材５１によるスペースのみを空けて、ほぼ完全に枠体２６内に収納された状態となる。そして抽斗１６に取付けられた前方ローラー３０は、飛び出し装置２９の前アーム３６に対してやや離れた位置となるように設定されている。尚、この状態にあっては、抽斗１６の裏面で且つ底板２４の下方に取付けられた突出棒５０は、図５の（２）に示されているように、ロック機構４５の突出片４８に当接せずにわずかに隙間を空けた状態となるように設定されている。
【００７９】
図７は図６の（３）で示した抽斗１６の収納状態から、この発明の第１の実施の形態による飛び出し装置を用いて枠体２６から抽斗１６を引き出す場合の動作を説明した図である。
【００８０】
図７の（１）に示されているように、抽斗１６を枠体２６から引き出す際には、まず抽斗１６を枠体２６内部に押し込むようにその抽斗１６を押圧する。すると、図５の（２）に示されている緩衝材５１による枠体２６との隙間分だけ抽斗１６が移動すると、抽斗１６に固定された突出棒５０はロック機構４５の突出片４８に当接してこれを押圧することになる。これによって、突出片４８は軸４６を中心として時計方向周りに回転することになる。
【００８１】
この突出片４８の回転に伴いロック爪４７も時計方向周りに回転する。この結果支持アーム４１とロック爪４７との係合が解除される。上述のように支持アーム４１は渦巻きバネ３５によって反時計方向周りに常に付勢されているため、この係合の解除によって移動する。そして、支持アーム４１の移動に伴い前アーム３６及び後アーム３７も反時計方向周りに移動する。その結果、前アーム３６は抽斗１６の前方ローラー３０に当接し、これを外方に押出すように力を加えることになる。
【００８２】
そして、図７の（２）に示されているように抽斗１６は、前アーム３６の反時計方向周りへの移動に伴って枠体２６から押し出されることになる。その後抽斗１６を手動によって枠体２６から引き出すようにすれば良い。抽斗１６を更に引き出すと、前アーム３６は図４において示した二点鎖線の位置に固定された状態となっているが、これに抽斗１６の後方ローラー３１が後方から接触することになる。
【００８３】
ところが前アーム３６は後アーム３７に対して反時計方向周りに回転できるように構成されているため、図７の（３）に示されているように前アーム３６は破線で示すように移動し、後方ローラー３１の通過を阻害することはない。これによって、抽斗１６の枠体２６からのスムーズな引出し状態が確保される。抽斗１６の引出しが完了すると、前アーム３６及び後アーム３７は図６の（１）で示した状態となる。従って、この状態から抽斗１６を枠体２６内に押し込むように移動させると、図６で示したものと同様の動作を繰り返し、抽斗１６は枠体２６内に収納されることになる。
【００８４】
図８はこの発明の第２の実施の形態による飛び出し装置を取付けた状態の抽斗の正面図であり、図９は図８で示したＩＸ−ＩＸラインの拡大断面図であり、図１０は図８で示したＸ‐Ｘラインの拡大断面図である。
【００８５】
これらの図を参照して、抽斗１６を構成する前面扉２１の右側下方部に押しボタン５３が取付けられている。押しボタン５３はその裏面側に前面扉２１に架け渡された板バネ５５が取付けられており、その背面の中央に突出棒５０が固定されている。従って、抽斗１６の全面側から押しボタン５３を内部に押し込むように押圧すると、押しボタン５３を構成するボタン本体５４は図９で示すように一点鎖線の位置に移動する。すなわち、押しボタン５３の突出棒５０はその内方に進行する。ボタン本体５４に対する押圧を停止すると、板バネ５５の作用によってボタン本体５４及び突出棒５０は元の位置に復帰する。尚、支持アーム４１及びロック機構４５の構成は先の第１の実施の形態によるものと同一構成となっている。
【００８６】
図１０に示されているように、押しボタン５３の突出棒５０はロック機構４５を構成するロック爪４７に取付けられている突出片４８に対向するように設置されている。この状態からボタン本体５４を押圧すると、突出棒５０は突出片４８に当接してロック爪４７を時計方向周りに回転させる。この結果、支持アーム４１とロック爪４７との係合が外れ、先の第１の実施の形態と同様に前アーム３６及び後アーム３７が回転し、抽斗１６を枠体から押し出すように力を加える。
【００８７】
押しボタン５３の押圧が終了してこれから手を離すと、押しボタン５３は上述のように図１０に示した元の位置に復帰する。従って、抽斗１６を再度枠体内に収納させるように押し込んだ場合、押しボタン５３の突出棒５０が支持アーム４１とロック爪４７との係合を阻害する虞はない。
【００８８】
図１１はこの発明の第３の実施の形態による飛び出し装置を取付けた場合の抽斗の前面扉周りの概略断面図である。
【００８９】
図を参照して、この実施の形態によるロック機構４５の構造は基本的に先の第１の実施の形態によるものと同一であるが、先の実施の形態による突出片がロック爪４７に取付けられていない点のみが異なっている。
【００９０】
抽斗１６の前面扉２１の上端部には取手５７が取付けられている。取手５７は抽斗１６を引き出す際に手を掛ける把持体５８と、把持体５８に接続し抽斗１６の前面扉２１の背面に沿うように下方に伸びる第１支持板５９と、第１支持板５９に対してほぼ直角方向に伸びる第２支持板６０と、第１支持板５９と第２支持板６０とを連結しこれらをその周りに回動自在とする軸６１と、第２支持板６０の先端に回動自在に接続された突出棒６３と、第２支持板６０と突出棒６３とをその接続角が自在となるように連結するための軸継手６４とから構成されている。尚、軸６１には、図において実線で示されている位置に常に第１支持板５９及び第２支持板６０を復帰させるように付勢する図示しないスプリングが組み込まれている。
【００９１】
このように取手５７は構成されているため、抽斗１６の前面から把持体５８を内方に押し込むように力を加えると、取手５７は図において二点鎖線で示すような位置に揺動する。すなわち、把持体５８に加えられた力によって第１支持板５９が内方に傾き、これに伴って第２支持板６０は時計方向周りに移動する。これによって、突出棒６３は底板２４に形成された貫通孔６５内を下方向に移動する。突出棒６３の下方向の延長位置はロック機構４５のロック爪４７に向かっており、その位置はロック爪４７に係合する支持アーム４１の位置より前面扉２１側になっている。
【００９２】
従って、突出棒６３は、その進行によってロック爪４７に当接し、ロック爪４７を時計方向周りに回転させることになる。これによってロック爪４７と支持アーム４１との係合状態が解除されて、ロック機構４５によって抽斗１６には、枠体から押し出されるような力が加えられることになる。そして、この抽斗１６の押出しに続いて、取手５７の把持体５８に手を掛けて抽斗１６を枠体から引き出すようにすれば良い。
【００９３】
尚、取手５７に加えていた力を取り除くと、軸６１に組み込まれている図示しないスプリングによって取手５７は二点鎖線の状態から実線の位置に復帰する。これによってロック爪４７を押圧していた突出棒６３は、元の位置に復帰するように貫通孔６５内を引き込まれることになる。従って抽斗１６を再度枠体内に収納するように力を加えて移動させた場合に、取手５７を構成する突出棒６３が支持アーム４１とロック爪４７との係合を阻止する虞がない。このようにして取手５７を操作することによって、抽斗１６の押込み及び引出しを容易に繰返すことができる。
【００９４】
尚、上記の各実施の形態では、飛び出し装置を抽斗の底面に取り付けているが、この取り付け位置は取り付け対象に応じて自在に決めれば良い。
【００９５】
又、上記の各実施の形態では、飛び出し装置を調理台に組み込まれた抽斗に取り付けているが、同様に押込み、引出しによって使用する構造の被取付体であれば同様に適用できる。
【００９６】
更に、上記の各実施の形態では、ロック爪の突出部の位置を特定しているが、同様の機能を発揮する位置であれば他の位置でも良い。
【００９７】
更に、上記の各実施の形態では、係合解除手段としての突出棒の取り付け方法を特定しているが、ロック爪を押圧してこれを回転させることができるものであれば、他の構造でも良い。
【００９８】
更に、上記の各実施の形態では、抽斗の底板に取り付けた前方ローラー及び後方ローラーの位置を特定しているが、引き出し装置のアーム体に同様に係合するものであれば、他の構造を採用したり、他の位置に配置しても良い。
【００９９】
図１２はこの発明の第４の実施の形態による飛び出し装置を用いた抽斗キャビネットの外観形状を示した正面図であり、図１３は図１２で示したＸＩＩＩ−ＸＩＩＩラインの拡大断面図である。
【０１００】
これらの図を参照して、抽斗キャビネット６７は調理台１３のスペースに挟まれるように配置されている。そしてその上方には抽斗１６が設けられ、その下方には先の実施の形態で示したような飛び出し装置が組込まれた抽斗本体７５が組込まれている。抽斗キャビネット６７の抽斗本体７５は床７６上に直接設置されるように構成されており、その一部を構成する前面板６９の上方には取手７０が取付けられている。前面板６９の下方には水平方向に伸びる接続板７７が取付けられ、接続板７７の後端には垂直方向に伸び且つ抽斗キャビネット６７の幅方向全面に伸びる蹴込板７２が取付けられている。尚、蹴込板７２の下面には弾性体８０が取付けられており、足先が蹴込板７２の下端に当たった場合でもその衝撃を和らげるように機能する。
【０１０１】
接続板７７の下面には、軸７８を中心としてその下方部が前後に揺動するパネル７１が取付けられている。尚、パネル７１は蹴込板７２に対応して抽斗キャビネット６７の幅方向全面に伸びるように形成されている。パネル７１の背面と蹴込板７２の全面との間にはバネ７９が設けられ、パネル７１が常に垂直方向の位置になるように付勢している。
【０１０２】
パネル７１の下面の一部には、金属板を折り曲げ加工して形成された連結板７３が取付けられている。そして蹴込板７２の下方の一部が切欠かれてあり、連結板７３は、その切欠き位置において図１３においては左右方向に移動自在となるように構成されている。連結板７３のパネル７１に対する側と反対側の面には、突出棒５０が取付けられている。
【０１０３】
一方、抽斗キャビネット６７において引出し自在の抽斗本体７５を保持する枠体の一部を構成する支持板７４が、床７６に面するようにその上方に取付けられている。抽斗本体７５を構成する底板８２の下方であって支持板７４の上面には、先の各実施の形態で示されたロック機構４５が取付けられている。ロック機構４５は上述のように軸４６を中心として回動自在であるとともに、図において反時計方向周りに図示しない付勢手段によって付勢されている。そしてロック機構４５を構成する突出片４８に対して対向するように、連結板７３に固定された突出棒５０が位置している。  又、ロック機構４５を構成するロック爪に相当するロック体８３に、先の実施の形態で説明したような支持アーム４１が係合している。
【０１０４】
図１４は図１３で示したロック機構４５の外観形状及びその周辺の部材との係合状態を説明するための拡大斜視図である。
【０１０５】
図を参照して、ロック機構４５は主に鉄板を曲げ加工することによって形成されている。具体的には、長方形シート形状の平坦部８４と、平坦部８４の一方端に接続され下方に向かって折り曲げられた立下げ部８５と、平坦部８４の他方端に接続され、その上方に立ち上がるように折り曲げられた立上げ部８６と、立上げ部８６の上方端に接続され、斜め下方に伸びるように折り曲げられた傾斜部８７とから構成されている。尚、立上げ部８６及び傾斜部８７の平坦部８４の幅方向に対する長さは、平坦部８４の幅より長く形成されているが、この理由については後述する。
【０１０６】
平坦部８４の上面であって軸４６の上方位置には、長方形板状の突出片４８が固定されている。上述のように連結板７３の一方端に固定された丸棒形状の突出棒５０が、突出片４８にその先端が対向するように位置している。一方、飛び出し機構の一部を構成する支持アーム４１は長方形板形状を有し、その側面がロック機構４５の立上げ部８６の面に当接した状態で係合している。これによって支持アーム４１の移動がロック体８３を構成する立上げ部８６によって阻止された状態となる。
【０１０７】
図１５は図１３で示した状態から蹴込板を作動させた状態を示した断面図である。
【０１０８】
図を参照して、例えば前面板６９の下方に露出しているパネル７１を脚によって蹴込んだものとする。するとパネル７１はバネ７９の付勢力に抗して、軸７８を中心としてその下方部が蹴込板７２側に移動する。このパネル７１の移動に伴って連結板７３も移動する。結果として、その端部に固定されている突出棒５０がロック機構４５を構成する突出片４８に当接して、ロック機構４５を軸４６を中心として時計方向周りに回転させるように作用する。
【０１０９】
ロック機構４５の時計方向周りの回転に伴ってロック体８３も下方向に移動する。これによってロック体８３に対する支持アーム４１の係合状態が解除する。すなわち、パネル７１、連結板７３及び突出棒５０は、回転阻止手段たるロック機構４５の支持アーム４１との係合を解除する係合解除手段を構成する。底板８２の下面には先の実施の形態で説明したように前方ローラーが取付けられており、支持アーム４１の移動に伴って前方ローラーが図示しないアームによって押圧されることになる。これによって抽斗キャビネット６７の抽斗本体７５は外方に引出されることになる。すなわちこの実施の形態による抽斗キャビネット６７にあっては、蹴込手段を構成するパネル７１を蹴り込むことによって飛び出し機構が作動し、抽斗本体７５を抽斗キャビネット６７の枠体から外方に引出すように作用するものである。
【０１１０】
尚、抽斗本体７５が引出され、パネル７１に対する蹴込動作が終了すると、パネル７１はバネ７９の付勢力によって元の垂直方向の位置に復帰し、ロック機構４５も図示しない軸４６を中心とした付勢力によって反時計方向周りに移動し、図１３で示した元の位置に復帰する。
【０１１１】
図１６はこのようにして引出された抽斗本体と枠体との状態を示した断面図であり、図１７は図１６で示したＸＶＩＩ−ＸＶＩＩラインから見た図である。
【０１１２】
これらの図を参照して、抽斗本体７５を構成する前面板６９、蹴込板７２、底板８２及び後面板８９はその全体が枠体から引出されるように移動する。そしてパネル７１は上述のように蹴込板７２に対して元の位置に復帰し、枠体を構成する支持板７４上に取付けられたロック機構４５も元の位置に復帰する。尚、飛び出し機構の一部を構成する支持アーム４１はロック機構４５との係合状態から開放されて図のような位置に停止している。
【０１１３】
図１７を参照して、この実施の形態による飛び出し装置は、先の実施の形態と同様に渦巻きバネ３５を中心として構成されている。渦巻きバネ３５はバネケース４２に収納されて支持板７４に固定されており、その中央部の一端は軸４３に固定され、その外方の他端は、バネケース４２に固定された複数の係合ピン１０３のうちの１つに係合するように取付けられている。尚、係合ピン１０３を複数設けているのは、渦巻きバネ３５の係合位置を変えることによって渦巻きバネ３５の回転付勢力、すなわち飛び出し装置の作動力を抽斗本体７５の収納物の重量等に合わせて調整することを可能とするためである。
【０１１４】
軸４３の上方にはアーム体３４が固定されている。アーム体３４は先の実施の形態と同様に軸４３との固定位置から一方に伸びる後アーム３７と、後アーム３７の更に外方に接続する前アーム３６と、軸４３との固定位置から後アーム３７とはほぼ反対方向に伸びる支持アーム４１とから構成されている。
【０１１５】
前アーム３６と後アーム３７とはピン３８を介して回転自在となるように接続されている。この図においては前アーム３６はピン３８に対して反時計方向周りには回転可能であるが、時計方向周りには回転できないように構成されている。
【０１１６】
一方、支持アーム４１の先端側は、上述のようにロック機構４５を構成する立上げ部８６に係合するものである。尚、バネケース４２に一体となって上方に立ち上がるストッパー１０５が形成されている。これによってロック機構４５との係合が解除されて渦巻きバネ３５の付勢力によって反時計方向周りに移動する支持アーム４１の側面がストッパー１０５に当接して、それ以上の移動が阻止される。これによってアーム体３４の反時計方向周りの移動が阻止されるが、その停止位置がバネケース４２に一体化されたストッパー１０５によって規制されるため、精度の良いアーム体３４の停止制御が可能となる。
【０１１７】
引出された抽斗本体７５が右側面板１０１及び左側面板１０２によって構成される枠体内に収納するように押込まれると、図示しない抽斗本体７５の底板８２の下面に取付けられた後方ローラーがアーム体３４の前アーム３６を押圧して、アーム体３４を時計方向周りに回転させる。これに伴ってアーム体３４の支持アーム４１も時計方向周りに回転するが、ロック機構４５の傾斜部８７は下方向に傾斜しているため、支持アーム４１の押圧によって傾斜部８７は下方向に移動する。これによって支持アーム４１は傾斜部８７の上方を移動して平坦部８４の上方まで回転する。支持アーム４１が通過すると、下方向に移動していた傾斜部８７は、図示しない付勢力によって上方に復帰し、支持アーム４１がロック機構４５の立上げ部８６に当接する初期状態に復帰する。
【０１１８】
図１６に戻って、抽斗本体７５を構成する底板８２の右奥側には、三角形シート形状の突出体９０がその頂角を下方に向けるようにして取付けられている。そして図１７に示されているように、抽斗本体７５が枠体から引出された時には、底板８２下面に取付けられた突出体９０は軌道１０７上を移動する。軌道１０７は、突出体９０はロック機構４５の平坦部８４の上方は通過しないが、傾斜部８７の右側面板１０１側の部分の上方を通過するように設定されている。
【０１１９】
図１８は図１６及び図１７で示した突出体の作用を示す断面図であって、図１６に対応した図である。
【０１２０】
図１３で示した初期状態から、飛び出し装置を用いることなく抽斗本体７５の前面板６９に設けられた取手７０を用いて抽斗本体７５を引出した状況を想定する。この時、飛び出し装置は作動しないため、アーム体３４を構成する支持アーム４１はロック機構４５に係合した状態で底板８２が引出されることになる。ところが、底板８２の下面には突出体９０が形成されているため、抽斗本体７５が引出されると、それに伴い突出体９０も前方に移動する。
【０１２１】
移動した突出体９０は、図に示すように、ロック機構４５の傾斜部８７に当接してロック機構４５を軸４６を中心として時計方向周りに回転させる。これによって支持アーム４１の立上げ部８６に対する係合状態は解除されることになる。すなわち、突出体９０は、回転阻止手段たるロック機構４５の支持アーム４１との係合を解除する第２係合解除手段を構成する。そしてアーム体３４は図１７に示された状態に移動した状態となって抽斗本体７５が引出されることになる。抽斗本体７５の引出しによってアーム体３４等が露出した状態となるが、支持アーム４１のロック機構４５との係合状態が解除されているので、不用意にロック機構４５等を触れることがあっても、アーム体３４が回転するような虞がない。これによって飛び出し装置の安全性が向上する。
【０１２２】
図１９は図１３に対応した図であって、抽斗キャビネットの使用状態の他の例を示した図である。
【０１２３】
図を参照して、パネル７１の下面に、パネル７１の裏面と蹴込板７２の前面との間の空間に挿入し得る形状の例えば合成樹脂の成形品からなるスペーサー１０９が取付けられている。これによってパネル７１を前方から蹴込板７２側に蹴込むようにした場合であっても、パネル７１は後方に移動することはない。従って、連結板７３も移動せず、結果としてロック機構４５は回転しないので飛び出し装置は作動することはない。これによって、不用意なパネル７１の蹴込等による予期せぬ抽斗本体７５の引出しを防止することが可能となる。
【０１２４】
図２０はこの発明の第５の実施の形態による飛び出し装置の主要部分を示す模式図である。
【０１２５】
上記の各実施の形態では、飛び出し装置を構成するアーム体は前アームと後アームとから構成され、これらは回転自在のピンによって相互に結合されている。ところが、この実施の形態にあっては、アーム体を構成する駆動アーム１１１は一体型を採用している。
【０１２６】
図を参照して、図２０の（１）は、被取付体を枠体から引出した場合の動作を示した図である。図を参照して、被取付体に取付けられている後方ローラー３１は、その前方部が回転自在のローラー体１１４と、ローラー体１１４を摺動自在に収納するケース１１５と、ケース１１５の内面の一面とローラー体１１４の内方側の一面との間に設けられたバネ１１６とから構成されている。
【０１２７】
引出し時にあっては、アーム体３４は実線の位置か二点鎖線で示した位置のいずれかの位置となっている。すなわち、実線は飛び出し装置が作動してアーム体３４の支持アーム４１がストッパー１０５に当接し、それ以上の回転が阻止された状態である。一方、二点鎖線で示す位置は、図１８で示したような場合で飛び出し装置が駆動されることなく図１３で示したような初期状態にある場合を示している。
【０１２８】
このような状態で被取付体が引出されると、後方ローラー３１は図の矢印のように移動する。そしてアーム体３４が二点鎖線の位置にある場合には、後方ローラー３１のローラー体１１４は駆動アーム１１１の先端にまず当接する。しかしアーム体３４の駆動アーム１１１は図示しないロック機構に係合した状態であるため、反時計方向周りに回転することはない。そこで、後方ローラー３１のローラー体１１４は、バネ１１６の付勢力に抗してケース１１５内に収納されるように移動して駆動アーム１１１を通過する。
【０１２９】
同様にアーム体３４が実線の位置にある場合にあっても、ストッパー１０５によって駆動アーム１１１は反時計方向周りに回転することはない。従って、後方ローラー３１のローラー体１１４は、ケース１１５内にバネ１１６の付勢力に抗してより深く収納された状態で駆動アーム１１１の先端部１１７を通過する。これによってアーム体３４の駆動アーム１１１が一体型であっても、スムーズに後方ローラー３１が駆動アーム１１１を通過することになる。
【０１３０】
図２０の（２）は、被取付体を引出した状態から枠体に収納する場合の動作を示した図である。
【０１３１】
図を参照して、アーム体３４は収納開始時にあっては、１番下の二点鎖線の位置となっている。そのため被取付体に取付けられた後方ローラー３１のローラー体１１４は、駆動アーム１１１の手前側面に当接する。この状態で後方ローラー３１は矢印の方向に進行するため、それに伴ってローラー体１１４によって当接された駆動アーム１１１は、軸４３を中心として時計方向周りに回転する。
【０１３２】
後方ローラー３１の進行が進み、アーム体３４の駆動アーム１１１が所定の位置まで回転すると、アーム体３４の支持アーム４１は上述のようにロック機構４５に係合してその反時計方向周りの回転が阻止された状態となる。この状態になると、後方ローラー３１のローラー体１１４は、ケース１１５に若干収納された状態に移動して駆動アーム１１１の先端部１１７を通過することになる。
【０１３３】
このように後方ローラー３１を構成することによって、アーム体３４の駆動アーム１１１を一体型としても先の各実施の形態による飛び出し装置と同様に被取付体の引出し及び収納が容易となる。尚、後方ローラー３１に取付けられるバネ１１６のバネ定数は、少なくとも被取付体の収納時にアーム体３４をロック機構４５に対する係合位置まで回転させるのに充分な当接力を駆動アーム１１１に発揮し得るように設定すれば良い。被取付体の引出し時にあっては、アーム体３４はストッパー１０５によってそれ以上の反時計方向周りの回転は生じない。そのため、バネ１１６のバネ定数が相当大きな場合であっても、後方ローラー３１のローラー体１１４は必ず駆動アーム１１１の先端部１１７を通過する程度までケース１１５内に収納されるように移動するからである。
【０１３４】
尚、上記の第４の実施の形態では、パネルは上方端部を軸中心として揺動自在としているが、パネルを水平方向に移動自在とするように構成しても同様の効果を奏する。
【０１３５】
又、上記の第４の実施の形態では、パネルに接続する連結板は外方に露出しているが、連結板の前面を蹴込板で覆うようにするとよりすっきりとして構成となる。
【０１３６】
更に、上記の第４の実施の形態では、パネルと蹴込板との間に圧縮バネを取り付けているが、これに代えて板バネを用いても良い。板バネを用いると、パネルと蹴込板とのスペースをより小さく設定できるので、使い勝手が良い。
【０１３７】
図２１はこの発明の第６の実施の形態による飛び出し装置を組み込んだ引出しキャビネットの断面形状を示した断面図であって、先の第４の実施の形態を示す図１３に対応した図である。
【０１３８】
これらの図を参照して、基本的な構成は先の第４の実施の形態によるものと同一であるが、抽斗キャビネット６７の抽斗本体７５に取付けられたパネル７１と枠体を構成する支持板７４に取付けられたロック機構４５との間の部分の構成が異なっている。
【０１３９】
パネル７１の下方端部には断面が逆Ｌ字状の接続板１４３が固定されている。接続板１４３の内面側とロック機構４５の突出片４８の外方面との間に対向するように作動棒１３１が支持板１３２に取付けられている。作動棒１３１は図２１に示した位置から突出片４８側には水平移動するが、図２１で示した位置に復帰するように常に図示しない付勢手段によって付勢された状態で支持板１３２に取付けられている。尚、作動棒１３１と接続板１４３とのスペース及び作動棒１３１と突出片４８とのスペースはわずかなものに設定されている。
【０１４０】
図２２は図２１で示した状態から蹴込板を作動させた状態を示した断面図である。
【０１４１】
図を参照して、例えば前面板６９の下方に露出しているパネル７１を足によって蹴込んだものとする。すると、パネル７１はバネ７９の付勢力に抗して、軸７８を中心としてその下方部が蹴込板７２側に移動する。このパネル７１の移動に伴って接続板１４３も移動する。これによって接続板１４３は支持板１３２に支持されている作動棒１３１に当接してこれを内方側に水平移動させる。すると水平移動した作動棒１３１は、ロック機構４５を構成する突出片４８に当接して、ロック機構４５を軸４６を中心として時計方向周りに回転させるように作用する。
【０１４２】
ロック機構４５の時計方向周りの回転に伴ってロック体８３も下方向に移動する。これによってロック体８３に対する支持アーム４１の係合状態が解除される。即ち、パネル７１、接続板１４３及び作動棒１３１は回転阻止手段たるロック機構４５の支持アーム４１との係合解除する係合解除手段を構成する。
【０１４３】
この実施の形態にあっては、パネル７１及び接続板１４３の揺動運動は作動棒１３１の水平運動に変換されるため、確実に突出片４８を押圧することができる。したがって、パネル７１の下方端に取付けられる接続板１４３の取付け精度を高める必要がなく係合解除手段の信頼性が向上する。
【０１４４】
尚、抽斗本体７５が引出され、パネル７１に対する蹴込動作が終了すると、パネル７１はバネ７９の付勢力によって元の垂直方向の位置に復帰し、作動棒１３１も支持板１３２に取付けられた図示しない付勢手段によって図２１に示した元の位置に復帰する。又、ロック機構４５も軸４６を中心とした図示しない付勢力によって反時計方向周りに回転し、図２１で示した元の位置に復帰する。
【０１４５】
図２３はこの発明の第７の実施の形態による飛び出し装置のアーム体の構成を示した平面図であって、先の第１の実施の形態を示す図４に対応した図である。
【０１４６】
尚、図にあっては、抽斗等の被取付体を枠体内から引出した場合のアーム体の変化を示している。
【０１４７】
図の（１）を参照して、アーム体３４は上下に重ね合わされた支持アーム１３３と駆動アーム１３４とから構成されている。支持アーム１３３は軸４３に固定され、軸４３から一方方向に伸びるとともにロック機構４５に係合する第１アーム１３５と、軸４３から他方方向に伸びる第２アーム１３６とから構成されている。第２アーム１３６の外方端側面には図において下方向に伸びる折り曲げ片１３８が接続されている。軸４３はバネケース４２内に収納されている図示しない渦巻きバネの一端に固定されており、図において反時計方向周りに常に付勢されている。
【０１４８】
一方、駆動アーム１３４は軸４３に回動自在に取付けられている。駆動アーム１３４の第２アーム１３６の先端近くの側面に、下方向に伸びる折り曲げ片１３９が接続されている。そして第２アーム１３６の折り曲げ片１３８の内面側と折り曲げ片１３９の内面側とを掛け渡すように引張バネ１４０が取付けられ、これらは互いに近づくように常時付勢されている。
【０１４９】
駆動アーム１３４は第２アーム１３６の上方に配置されているため、引張バネ１４０の付勢力によって駆動アーム１３４の折り曲げ片１３９が図において時計方向周りに移動すると、折り曲げ片１３９の内面が第２アーム１３６の側面に当接してそれ以上の移動が阻止される。即ち引張バネ１４０は、駆動アーム１３４の第２アーム１３６に対する反時計方向周りの回転は許容するが、図２３の（１）で示されているように駆動アーム１３４を第２アーム１３６の上方に重なった位置に復帰するように常時付勢していることになる。
【０１５０】
尚、第６の実施の形態で示したように、ロック機構４５に取付けられている突出片４８に対抗するように作動棒１３１が支持板１３２に支持されている。
【０１５１】
図２３の（１）は、飛び出し装置が能動化して被取付体が引出される状態を示している。この状態にあっては、支持アーム１３３の第１アーム１３５のロック機構４５との係合が外れ、反時計方向周りに回転した第１アーム１３５はストッパー１０５に当接してそれ以上の回転が阻止された状態となっている。この第１アーム１３５の回転に伴って第２アーム１３６も反時計方向周りに回転する。第２アーム１３６の回転は折り曲げ片１３９を介して駆動アーム１３４に伝達され、これを一体として反時計方向周りに回転させる。
【０１５２】
被取付体に取付けられた前方ローラー３０は、この駆動アーム１３４の回転によって外方に押し出され、それに伴って被取付体に取付けられた後方ローラー３１が矢印に示すように進行する。進行した後方ローラー３１は駆動アーム１３４の傾斜部１１２に当接して、駆動アーム１３４を更に反時計方向周りに回転させようと力を加えることになる。この時支持アーム１３３は、ストッパー１０５との当接状態によってそれ以上の反時計方向周りの回転は阻止された状態となっている。一方、駆動アーム１３４は上述のように軸４３を中心として反時計方向周りに回転自在となっているため、後方ローラー３１の押圧によって図２３の（２）のように引張バネ１４０の付勢力に抗して更に反時計方向周りに回転する。
【０１５３】
これによって進行してきた後方ローラー３１は、駆動アーム１３４の先端部１１７に接触しながらこれを通過し、外方に引出されることになる。後方ローラー３１の通過が終了すると、駆動アーム１３４に対する反時計方向周りの回転力は消滅するため、駆動アーム１３４は引張バネ１４０の付勢力によって図２３の（３）に示されるように時計方向周りに回転して元の位置に復帰する。
【０１５４】
この実施の形態にあっては第１の実施の形態によるものとは異なり、前方ローラー３０及び後方ローラー３１に係合する駆動アーム１３４は一体型となっている。即ち、第１の実施の形態によるような前アーム３６と後アーム３７とからなり、これらのアームがピン３８によって回転自在となるような構造でないため、駆動アーム１３４の先端部から軸４３までの距離を短く設定することが可能となる。被取付体たる抽斗の幅が小さなようなものにこの飛び出し装置を取付ける場合は、当然後方ローラー３１と軸４３との幅方向の距離が短くなる。そこでこの実施の形態による飛び出し装置にあっては、後方ローラー３１の位置に合わせて駆動アーム１３４の長さを短く設定すれば良いため、飛び出し装置の取付け対象の許容範囲が拡大する。
【０１５５】
図２４は図２３で示した飛び出し装置を取付けた被取付体を枠体内に収納する場合のアーム体の変化を示した図である。
【０１５６】
図を参照して、図２４の（１）に示されているように被取付体を枠体内に収納するように進行させると、被取付体に取付けられている後方ローラー３１が矢印のように進行して駆動アーム１３４の先端に当接する。これによって駆動アーム１３４は軸４３を中心として時計方向周りに回転しようとする。ところが駆動アーム１３４に接続されている折り曲げ片１３９は、支持アーム１３３の第２アーム１３６の側面に当接状態となっている。したがって、後方ローラー３１によって加わった力による駆動アーム１３４の時計方向周りの回転によって、支持アーム１３３も一体となって時計方向周りに回転する。即ち、支持アーム１３３は、図示しない渦巻きバネによる反時計方向周りの回転を生じる付勢力に抗して、時計方向周りに回転することになる。
【０１５７】
後方ローラー３１の進行が更に進むと、図２４の（２）に示されているように支持アーム１３３及び駆動アーム１３４は一体となって軸４３を中心として時計方向周りに回転する。支持アーム１３３の第１アーム１３５の時計方向周りの回転が更に進むと、第１アーム１３５はロック機構４５のロック体８３の立上げ部８６に係合して反時計方向周りの回転が阻止された状態にセットされる。
【０１５８】
後方ローラー３１は駆動アーム１３４の先端部１１７に接触しながらこれを通過して枠体内に更に進行する。そして被取付体に取付けられた前方ローラー３０も矢印の方向に進行し、駆動アーム１３４に当接してセット状態となる。次に飛び出し装置が作動すると、支持アーム１３３の第１アーム１３５のロック機構４５との係合が外れ、支持アーム１３３は、軸４３を中心として反時計方向周りに回転する。支持アーム１３３の反時計方向周りの回転は折り曲げ片１３９を介して駆動アーム１３４に伝達され、駆動アーム１３４も軸４３を中心として反時計方向周りに回転させる。これによって駆動アーム１３４は前方ローラー３０を外方に向かって押し出すように力を加え、図２３で示したような被取付体の引出し動作が繰り返して行われることになる。
【０１５９】
尚、支持アーム１３３の第１アーム１３５の外方部に傾斜部１４２が形成されているのは以下の理由による。
【０１６０】
まず、被取付体に取付けられる後方ローラー３１の取付け位置がずれてしまい二点鎖線で示すような位置に取付けられたものと想定する。この場合被取付体の引出し時にあっては特に問題がないが、被取付体の枠体への収納時に問題を生じる虞がある。即ち後方ローラー３１が二点鎖線の位置にあると、被取付体の収納時に、後方ローラー３１を駆動アーム１３４の先端を通過させるためには、駆動アーム１３４を二点鎖線の位置まで軸４３を中心として回転させる必要が生じることなる。
【０１６１】
この場合、駆動アーム１３４と一体となって移動する支持アーム１３３の第１アーム１３５も、二点鎖線の位置まで回転することになる。ところが第１アーム１３５に傾斜部１４２が形成されていないと、第１アーム１３５がロック機構４５の突出片４８に当る場合がある。すると第１アーム１３５はそれ以上時計方向周りに回転することができなくなり、結果として駆動アーム１３４の時計方向周りの回転範囲も制限されることになる。そのため場合によっては後方ローラー３１が駆動アーム１３４の先端部１１７を通過できなくなる虞も生じる。このような場合を想定して第１アーム１３５に傾斜部１４２が形成されたものである。
【０１６２】
これによって第１アーム１３５の時計方向周りの回転許容範囲を大きくし、結果として後方ローラー３１の取付け許容範囲が拡大されることになる。
【０１６３】
尚、上記の第６の実施の形態では、パネルは上方端部を軸中心として揺動自在としているが、パネルを水平方向に移動自在とするように構成しても同様の効果を奏する。
【０１６４】
又、上記の第７の実施の形態では、支持アームは下側で駆動アームは上側としているが、こららは逆に取り付けても同様の効果を奏する。
【０１６５】
更に、上記の第７の実施の形態では、支持アームの第２アームと駆動アームの一部とを上下に重ね合わせるように配置しているが、これらは上下において若干ずれていても同様の効果を奏することは言うまでもない。
【０１６６】
更に、上記の第７の実施の形態では、支持アームの第２アームと駆動アームとを重なり状態になるように付勢する第２付勢手段として引張バネを用いており、又、これらのアームを一体的に移動させるための係合手段として駆動アームに設けられた折り曲げ片を用いているが、これらに代えて他の付勢手段や係合手段を用いても良い。
【図面の簡単な説明】
【図１】この発明の第１の実施の形態による飛び出し装置を取付けた状態の抽斗が組み込まれた調理台の正面図である。
【図２】図１で示したＩＩ−ＩＩラインの断面図である。
【図３】図２で示したＩＩＩ−ＩＩＩラインの拡大断面図である。
【図４】図３で示したＩＶ−ＩＶラインから見た図である。
【図５】図４で示したＶ−Ｖラインの拡大断面図であって、ロック機構の２つの係合状態を示した図である。
【図６】この発明の第１の実施の形態による飛び出し装置を組み込んだ抽斗のセット状態の変化を示した図である。
【図７】図６の（３）に示した状態から抽斗を引き出す際の状態の変化を示した図である。
【図８】この発明の第２の実施の形態による飛び出し装置を組み込んだ抽斗の前面扉を示した図である。
【図９】図８で示したＩＸ−ＩＸラインの拡大断面図である。
【図１０】図８で示したＸ−Ｘラインの拡大断面図である。
【図１１】この発明の第３の実施の形態による飛び出し装置を組み込んだ抽斗の前面扉周りの構成を示した断面図である。
【図１２】この発明の第４の実施の形態による飛び出し装置を組込んだ抽斗キャビネットの外観形状を示した正面図である。
【図１３】図１２で示したＸＩＩＩ−ＸＩＩＩラインの拡大断面図である。
【図１４】図１３で示したロック機構の構造を示した拡大斜視図である。
【図１５】図１３に対応した図であって、飛び出し装置を作動させた状態を示した図である。
【図１６】図１３で示した抽斗本体を枠体から引出す状態を示した断面図である。
【図１７】図１６で示したＸＶＩＩ−ＸＶＩＩラインの断面図である。
【図１８】図１６で示した底板８２に取付けられた突出体の機能を説明するための図である。
【図１９】図１３に対応した図であって、抽斗キャビネットの使用状態の他の例を示した断面図である。
【図２０】この発明の第５の実施の形態による飛び出し装置の概略構成を示した図である。
【図２１】この発明の第６の実施の形態による飛び出し装置を組み込んだ抽斗キャビネットの断面形状を示した図である。
【図２２】図２１に対応した図であって、飛び出し装置を作動させた状態を示した図である。
【図２３】この発明の第７の実施の形態による飛び出し装置のアーム体の構造を示した平面図であって、被取付体の引出し時のアーム体の変化を示した図である。
【図２４】図２３で示した飛び出し装置のアーム体の構造を示した図であって、被取付体の収納時のアーム体の変化を示した図である。
【符号の説明】
１６…抽斗
２１…前面扉
２４…底板
２６…枠体
２９…飛び出し装置
３０…前方ローラー
３１…後方ローラー
３３…支持板
３４…アーム体
３５…渦巻きバネ
３６…前アーム
３７…後アーム
３８…ピン
３９…スプリング
４１…支持アーム
４３，４６…軸
４５…ロック機構
４７…ロック爪
４８…突出片
５０，６３…突出棒
５３…押しボタン
５４…ボタン本体
５５…板バネ
５７…取手
６９…前面板
７１…パネル
７２…蹴込板
７４…支持板
７５…抽斗本体
７６…床
７８…軸
７９…バネ
８２…底板
８３…ロック体
９０…突出体
１３１…作動棒
１３２…支持板
１３３…支持アーム
１３４…駆動アーム
１３５…第１アーム
１３６…第２アーム
１３８，１３９…折り曲げ片
１４０…引張バネ
尚、各図中同一符号は同一又は相当部分を示す。
【図１】
0003610435.tif 000002
【図２】
0003610435.tif 000003
【図３】
0003610435.tif 000004
【図４】
0003610435.tif 000005
【図５】
0003610435.tif 000006
【図６】
0003610435.tif 000007
【図７】
0003610435.tif 000008
【図８】
0003610435.tif 000009
【図９】
0003610435.tif 000010
【図１０】
0003610435.tif 000011
【図１１】
0003610435.tif 000012
【図１２】
0003610435.tif 000013
【図１３】
0003610435.tif 000014
【図１４】
0003610435.tif 000015
【図１５】
0003610435.tif 000016
【図１６】
0003610435.tif 000017
【図１７】
0003610435.tif 000018
【図１８】
0003610435.tif 000019
【図１９】
0003610435.tif 000020
【図２０】
0003610435.tif 000021
【図２１】
0003610435.tif 000022
【図２２】
0003610435.tif 000023
【図２３】
0003610435.tif 000024
【図２４】
0003610435.tif 000025